(57)【要約】      （修正有）【課題】中ぐり切削工具のドリルの寸法が異なっていても、ホルダのみ加熱することができる中ぐり切削工具用加熱装置を提供する。【解決手段】加熱部材１０と、加熱部材の上方に取り付けられる位置決め皿部２０と、位置決め皿部の内部に取り付けられると共に、対向する両側に２枚の磁気遮蔽プレートがそれぞれ回転可能に取り付けられ、各磁気遮蔽プレートの外周縁に複数の遮蔽開口が間隔をおいて凹設され、連動リングに結合されて磁気遮蔽プレートを連動する２本の摺動アームが取り付けられる調整部材３０と、位置決め皿部の上部に取り付けられ、一側に摺動調整溝が形成され、摺動調整溝がそのうちの１本の摺動アームの一端の摺動軌跡に対応する蓋部５０と、蓋部の摺動調整溝を通過してその対応している摺動アームの一端に固定され、磁気遮蔽プレートを摺動調整溝に沿って回転できるレバー６０と、を有する。【選択図】図１
0003188869.tif 000002
【実用新案登録請求の範囲】
【請求項１】
中心に上下に貫通する収容孔が形成される加熱部材と、
前記加熱部材の上部に取り付けられ、上面に開口を有する組立凹部が形成され、上面の中心に前記収容孔と連通する下貫通孔が形成され、上面の該下貫通孔の周囲に複数の固定柱が間隔をおいて凸設される位置決め皿部と、
前記位置決め皿部の組立凹部に取り付けられ、対向する側の固定柱に２枚の磁気遮蔽プレートがそれぞれ回転可能に取り付けられ、該各磁気遮蔽プレートの外周縁に複数の円弧状の遮蔽開口が間隔をおいて凹設され、該位置決め皿部の組立凹部且つ側壁の内縁近傍にスライド自在に連動リングが取り付けられ、該磁気遮蔽プレートと連動リングとを連動するための２本の摺動アームが取り付けられる調整部材と、
前記位置決め皿部の上方に取り付けられ、中心に下貫通孔に対応する上貫通孔が形成され、該上貫通孔の一側に摺動調整溝が形成され、該摺動調整溝が前記そのうちの１本の摺動アームの一端の摺動軌跡に対応する蓋部と、
前記蓋部の摺動調整溝を通過してその対応している摺動アームの一端に固定され、該磁気遮蔽プレートを該摺動調整溝に沿って回転できるレバーと、を有することを特徴とする中ぐり切削工具用加熱装置。
【請求項２】
前記磁気遮蔽プレートは、中心に中心孔が形成され、該中心孔に前記固定柱が嵌め込まれるように設置され、
前記複数の遮蔽開口が磁気遮蔽プレートの時計回りに沿って大径から小径に形成されることを特徴とする請求項１に記載の中ぐり切削工具用加熱装置。
【請求項３】
前記磁気遮蔽プレートの上方に位置するように、前記位置決め皿部の固定柱に円環状の固定リングが取り付けられ、該固定リングの外周縁に複数の位置決めスリットが等間隔で切り欠かれることを特徴とする請求項２に記載の中ぐり切削工具用加熱装置。
【請求項４】
前記複数の固定柱は、位置決め皿部の上面且つ下貫通孔の周囲に等間隔で凸設された４つの固定柱であることを特徴とする請求項３に記載の中ぐり切削工具用加熱装置。
【考案の詳細な説明】
【技術分野】
【０００１】
本考案は、特に中ぐり切削工具のドリルの寸法が異なっても、ホルダのみ加熱することができる加熱装置に関するものである。
【背景技術】
【０００２】
従来の中ぐり切削工具用加熱装置を使用する時は、まずホルダを加熱して膨張させてからドリルをホルダに装着し、このホルダを冷却すると、ホルダによりドリルを締め付けることができる。また、寸法の異なるドリルに交換する場合には、ホルダのみ加熱して膨張させてからドリルをホルダから取り外し、他のドリルをホルダに装着すればよい。
【考案の概要】
【考案が解決しようとする課題】
【０００３】
しかしながら、従来の中ぐり切削工具用加熱装置は、中心に所定の貫通孔が形成されるが、ホルダに装着したドリルのサイズに合っていなければ、使用できない場合があることから、ドリルの様々なサイズに対応することができないので、実用性が低く、改良する必要があった。
【課題を解決するための手段】
【０００４】
本考案に係る中ぐり切削工具用加熱装置は、
中心に上下に貫通する収容孔が形成される加熱部材と、
前記加熱部材の上部に取り付けられ、上面に開口を有する組立凹部が形成され、上面の中心に前記収容孔と連通する下貫通孔が形成され、上面の該下貫通孔の周囲に複数の固定柱が間隔をおいて凸設される位置決め皿部と、
前記位置決め皿部の組立凹部に取り付けられ、対向する側の固定柱に２枚の磁気遮蔽プレートがそれぞれ回転可能に取り付けられ、該各磁気遮蔽プレートの外周縁に複数の円弧状の遮蔽開口が間隔をおいて凹設され、該位置決め皿部の組立凹部且つ側壁の内縁近傍にスライド自在に連動リングが取り付けられ、該磁気遮蔽プレートと連動リングとを連動するための２本の摺動アームが取り付けられる調整部材と、
前記位置決め皿部の上方に取り付けられ、中心に下貫通孔に対応する上貫通孔が形成され、該上貫通孔の一側に摺動調整溝が形成され、該摺動調整溝が前記そのうちの１本の摺動アームの一端の摺動軌跡に対応する蓋部と、
前記蓋部の摺動調整溝を通過してその対応している摺動アームの一端に固定され、該磁気遮蔽プレートを該摺動調整溝に沿って回転できるレバーと、を有するものである。
【０００５】
かかる中ぐり切削工具用加熱装置において、
前記磁気遮蔽プレートは、中心に中心孔が形成され、該中心孔に前記固定柱が嵌め込まれるように設置され、
前記複数の遮蔽開口が磁気遮蔽プレートの時計回りに沿って大径から小径に形成されることが好ましい。
【０００６】
かかる中ぐり切削工具用加熱装置において、
前記磁気遮蔽プレートの上方に位置するように、前記位置決め皿部の固定柱に円環状の固定リングが取り付けられ、該固定リングの外周縁に複数の位置決めスリットが等間隔で切り欠かれることが好ましい。
【０００７】
かかる中ぐり切削工具用加熱装置において、
前記複数の固定柱は、位置決め皿部の上面且つ下貫通孔の周囲に等間隔で凸設された４つの固定柱であることが好ましい。
【考案の効果】
【０００８】
本考案に係る中ぐり切削工具用加熱装置は、加熱部材の上方に調整部材が取り付けられ、この調整部材に対向する２枚の磁気遮蔽プレートが回転可能に取り付けられ、各磁気遮蔽プレートの外周縁に複数のサイズの異なる遮蔽開口が間隔をおいて凹設されることから、２枚の磁気遮蔽プレートを回転させると、ドリルの寸法に合った遮蔽開口を自由に選択することができる。故に、この方法によれば、磁気遮蔽プレートが加熱部材からの磁束線を遮蔽することから、加熱部材が上方のドリルを加熱させず、ホルダしか加熱しないので、サイズの異なるドリルを交換することができる。
【０００９】
さらに、本考案に係る中ぐり切削工具用加熱装置における調整部材は、簡単な構造であると共に、操作方法も簡単であるので、低コスト化を実現しつつ、実用性も高めることができる。
【図面の簡単な説明】
【００１０】
【図１】本考案に係る中ぐり切削工具用加熱装置の斜視図である。
【図２】本考案に係る中ぐり切削工具用加熱装置の部分断面斜視図である。
【図３】本考案に係る中ぐり切削工具用加熱装置の部分分解斜視図である。
【図４】本考案に係る中ぐり切削工具用加熱装置において、レバーを調整した状態を示す斜視図である。
【図５】本考案に係る中ぐり切削工具用加熱装置において、調整部材の回転動作を示す部分断面平面図である。
【図６】本考案に係る中ぐり切削工具用加熱装置において、ホルダに大径のドリルを装着した状態を示す斜視図である。
【図７】本考案に係る中ぐり切削工具用加熱装置において、ホルダに大径のドリルを装着した状態を示す部分拡大側面断面図である。
【図８】本考案に係る中ぐり切削工具用加熱装置において、ホルダに小径のドリルを装着した状態を示す斜視図である。
【図９】本考案に係る中ぐり切削工具用加熱装置において、ホルダに小径のドリルを装着した状態を示す部分断面平面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図５に示すように、本考案に係る中ぐり切削工具用加熱装置は、加熱部材１０と、位置決め皿部２０と、調整部材３０と、固定リング４０と、蓋部５０と、レバー６０を有する。
【００１３】
図１及び図２に示すように、前記加熱部材１０は、円筒状を呈し、中心に上下方向に貫通する収容孔１１が形成され、該収容孔１１の内径は上方から下方へ行くにつれて大きくなり、即ち、該収容孔１１は、上部に小径が、下部に大径が形成されるテーパー状を呈するものである。尚、この加熱部材１０は、周知技術であるので、内部構造及び操作説明は省略する。
【００１４】
図２及び図３に示すように、前記位置決め皿部２０は、円盤状を呈し、加熱部材１０の上部に取り付けられ、外周縁に環状の側壁が上方に向かって延設され、該側壁の内部に、開口を有する組立凹部２１が形成され、皿部の上面中央に加熱部材１０の収容孔１１と連通する下貫通孔２２が形成され、皿部の上面の該下貫通孔２２の周囲に等間隔で４つの固定柱２３が凸設され、該固定柱２３の上面に固定孔２３１が形成され、皿部の上面における側壁の内縁近傍に回転溝２４が形成される。
【００１５】
前記調整部材３０は、位置決め皿部２０の組立凹部２１に取り付けられ、２枚の磁気遮蔽プレート３１と、連動リング３２と、２本の摺動アーム３３とを備え、その内、該磁気遮蔽プレート３１は、粉末冶金により焼結して、磁化可能な特性を具備させるものであり、中心に中心孔３１１が形成され、外周縁に間隔をおいて複数の円弧状を呈する遮蔽開口３１２が形成され、これらの遮蔽開口３１２は、時計回りの順に大径から小径となるように形成され、周縁近傍に挿設孔３１３が形成され、また、これらの磁気遮蔽プレート３１はそれぞれ、互いに対向すると共に、中心孔３１１に固定柱２３が嵌め込まれて、それぞれが固定柱２３を中心として回転できるように設置される。
【００１６】
前記連動リング３２は、スライド自在に位置決め皿部２０の回転溝２４に取り付けられ、上面の対向する両側にそれぞれ組立柱３２１が凸設される。前記摺動アーム３３は、弧状を呈し、該摺動アームの両端にそれぞれ組立孔３３１が形成され、その一端の組立孔３３１が磁気遮蔽プレート３１の挿設孔３１３と対応し、その他端の組立孔３３１に連動リング３２の組立柱３２１が通過する。
【００１７】
前記固定リング４０は、円環状を呈し、位置決め皿部２０の組立凹部２１上に取り付けられ、固定柱２３と対応する箇所にそれぞれ貫通孔４１が形成され、固定柱２３に該貫通孔４１が嵌め込まれ、４つのボルト４２がそれぞれ対応する固定柱２３の固定孔２３１に螺合され、これにより、該固定リング４０が２枚の磁気遮蔽プレート３１の上面に接触するように設置される。さらに、前記固定リング４０の外周縁に複数の位置決めスリット４３が等間隔で切り欠かれ、且つ、それぞれの隣り合う位置決めスリット４３の間に貫通孔４１が形成される。
【００１８】
前記蓋部５０は、位置決め皿部２０の上方に位置するように加熱部材１０に取り付けられ、２本のボルト５１を備え、中心に下貫通孔２２に対応する上貫通孔５２が形成され、該ボルト５１はそれぞれ、位置決め皿部２０を通過して加熱部材１０の上部に螺合され、また、該蓋部５０の中央に下貫通孔２２と対応する上貫通孔５２が形成され、該上貫通孔５２の一側にＵ字形の摺動調整溝５３が形成され、該摺動調整溝５３は、１つの摺動アーム３３の一端の摺動軌跡に対応する。更に、前記蓋部５０の底面の縁部における、２本の組立柱３２１の摺動軌跡と対応する箇所に摺動溝５４が形成され、その２つの組立柱３２１はそれぞれ対応する摺動溝５４に位置する。
【００１９】
前記レバー６０は棒状を呈し、底端に結合端６１が設けられ、該結合端６１は、蓋部５０の摺動調整溝５３を貫通して摺動アーム３３の組立孔３３１及び磁気遮蔽プレート３１の挿設孔３１３に嵌め込まれる。尚、本実施例においては、レバー６０の結合端６１の底面にねじ穴が形成され、また、摺動アーム３３の組立孔３３１及び磁気遮蔽プレート３１の挿設孔３１３にボルトが嵌め込まれ、このボルトの上端が結合端６１のねじ穴に螺合される。
【００２０】
図１、図４、図５に示すように、本考案に係る中ぐり切削工具用加熱装置を調整する方法は、レバー６０を摺動調整溝５３に沿って摺動させて一方の磁気遮蔽プレート３１を回転させ、この磁気遮蔽プレート３１の回転で連動リング３２により他方の磁気遮蔽プレート３１を連動させることにより、両方の磁気遮蔽プレート３１を、内径と合った遮蔽開口３１２を対向させるように調整すればよい。また、レバー６０を摺動調整溝５３に沿って回動させれば、ドリルの寸法に応じて適当な遮蔽開口３１２を自由に選択することができる（図４及び図５の如く）。
【００２１】
図６及び図７に示すように、本考案に係る中ぐり切削工具用加熱装置を使用する時は、まず大径のドリル７０を装着したホルダ８０を、加熱部材１０の収容孔１１に貫設することにより加熱装置に取り付け、そして、レバー６０を摺動して磁気遮蔽プレート３１の遮蔽開口３１２を調整することによって、ドリル７０の寸法と合っている遮蔽開口３１２を選択し、この磁気遮蔽プレート３１が加熱部材１０からの磁束線を遮蔽することから、加熱部材１０によりホルダ８０しか加熱しないので、ホルダ８０を膨張させると、ドリル７０をホルダ８０から取り外すことができる。
【００２２】
図８及び図９に示すように、本考案に係る中ぐり切削工具用加熱装置においては、サイズが異なる小径のドリル７０Ａを装着したホルダ８０に使用してもよく、その際は、レバー６０を摺動してドリル７０Ａの寸法と合った磁気遮蔽プレート３１の遮蔽開口３１２を選択すればよい。
【００２３】
本考案に係る中ぐり切削工具用加熱装置は、レバー６０を摺動して磁気遮蔽プレート３１を調整することによって、寸法の異なるドリルに合った遮蔽開口３１２を自由に選択することができるので、操作方法が簡単で、調整部材３０の構造や組立ても簡単で、生産コストも低減でき、且つ実用性も高い。
【符号の説明】
【００２４】
１０      加熱部材
１１      収容孔
２０      位置決め皿部
２１      組立凹部
２２      下貫通孔
２３      固定柱
２３１    固定孔
２４      回転溝
３０      調整部材
３１      磁気遮蔽プレート
３１１    中心孔
３１２    遮蔽開口
３１３    挿設孔
３２      連動リング
３２１    組立柱
３３      摺動アーム
３３１    組立孔
４０      固定リング
４１      貫通孔
４２      ボルト
４３      位置決めスリット
５０      蓋部
５１      ボルト
５２      上貫通孔
５３      摺動調整溝
５４      摺動溝
６０      レバー
６１      結合端
７０      ドリル
７０Ａ    ドリル
８０      ホルダ
【図１】
0003188869.tif 000003
【図２】
0003188869.tif 000004
【図３】
0003188869.tif 000005
【図４】
0003188869.tif 000006
【図５】
0003188869.tif 000007
【図６】
0003188869.tif 000008
【図７】
0003188869.tif 000009
【図８】
0003188869.tif 000010
【図９】
0003188869.tif 000011